(57)【要約】【課題】撮像装置の姿勢変化が検出された場合、姿勢別の設定情報及び姿勢変化の前後における制御情報に基づいて切替後の設定値を決定し、設定変更を行う。【解決手段】撮像装置の姿勢を検出する姿勢検出回路５１と、姿勢別に設定情報を記憶するメモリ３７を設ける。姿勢検出回路５１により撮像装置の姿勢変化を検出する（Ｓ１＿０２）。検出された姿勢変化に応じて、撮像装置の設定変更制御を行うシステム制御部３９は、記憶された姿勢別の設定情報、及び姿勢変化の前後における制御情報、例えば焦点検出状態に関する情報や被写体の同一性に関する識別情報に基づいて切り替えるべき設定値を判定する（Ｓ１＿０３、Ｓ１＿０５、Ｓ１＿０６）。そして判定結果に従って設定情報の変更処理が行われる（Ｓ１＿０４、Ｓ１＿０９）。これにより自動焦点調節フレームや測光ポイントが自動的に変更されるため、姿勢変化後におけるユーザの手動操作が不要になる。【選択図】  図３
2010252217.tif 000002
【特許請求の範囲】
【請求項１】
撮像装置の姿勢を検出する姿勢検出手段と、
撮像装置の姿勢別に設定情報を記憶する記憶手段と、
前記姿勢検出手段により撮像装置の姿勢変化が検出された場合、該姿勢変化に応じて、前記記憶手段に記憶された姿勢別の設定情報及び姿勢変化の前後における制御情報に基づいて切り替えるべき設定情報の判定及び判定結果に従った設定情報の変更を行う制御手段を備えたことを特徴とする撮像装置。
【請求項２】
前記設定情報は、自動焦点調節フレーム又は測光ポイントの選択に用いる情報であることを特徴とする、請求項１に記載の撮像装置。
【請求項３】
前記制御情報は、焦点検出状態又は被写体に関する情報であることを特徴とする、請求項１又は２に記載の撮像装置。
【請求項４】
撮像装置の姿勢を検出する姿勢検出手段と、姿勢別に設定情報を記憶する記憶手段を備えた撮像装置の設定変更制御方法であって、
前記姿勢検出手段により撮像装置の姿勢変化を検出する検出ステップと、
前記検出ステップで検出された姿勢変化に応じて、前記記憶手段に記憶された姿勢別の設定情報及び姿勢変化の前後における制御情報に基づいて切り替えるべき設定情報を判定し、判定結果に従って設定情報を変更するステップを有することを特徴とする撮像装置の設定変更制御方法。
【発明の詳細な説明】
【技術分野】
【０００１】
本発明は、撮像装置の姿勢変化に応じた設定情報の変更制御に関する。
【背景技術】
【０００２】
従来、撮影するシーンや被写体に応じて、ユーザがカメラの姿勢を変更した際に、姿勢検出手段による検出姿勢に応じて、設定値を変更する技術が知られている。例えば、特許文献１に開示されたエリア選択カメラは、エリア選択手段によって選択されたエリアを、姿勢検出手段によって検出された姿勢に応じて変更する制御手段を備える。また特許文献２に開示されたカメラでは、自由度の高い測距点グループ形状の設定を行うことにより、撮影者が意図した被写体に対して正しい自動焦点調節が行われる。
【先行技術文献】
【特許文献】
【０００３】
【特許文献１】特開平９−９０２０２号公報
【特許文献２】特開２００６−１３９２５６号公報
【発明の概要】
【発明が解決しようとする課題】
【０００４】
前記先行技術においては、カメラの姿勢変化の前後で、相対的に同じ位置に設定値を切り替えるだけである。この方法は、姿勢変化の前後で同一の被写体であってしかも同一のシーンを撮影する場合には有効である。しかし実際の撮影では、姿勢変化の前後において同一の被写体で無い場合や、同一のシーンでは無い場合も多い。先行技術のような、相対的に同じ位置への設定値切替制御を行う方法では、例えば自動焦点調節フレームの制御に関してユーザの望む位置への切り替えが行われない事態が生じ得る。その際、ユーザは切り替え後の位置から改めて、手動操作により自らの望む位置への変更を余儀なくされ、その結果、操作の手番が増えてしまうという問題があった。
【０００５】
本発明は、撮像装置の姿勢変化が検出された場合、姿勢別の設定情報及び姿勢変化の前後における制御情報に基づいて切替後の設定値を決定し、設定変更を行うことを目的とする。
【課題を解決するための手段】
【０００６】
上記課題を解決し、上記目的を達成するために本発明は、撮像装置の姿勢を検出する姿勢検出手段と、撮像装置の姿勢別に設定情報を記憶する記憶手段と、前記姿勢検出手段により撮像装置の姿勢変化が検出された場合、該姿勢変化に応じて、前記記憶手段に記憶された姿勢別の設定情報及び姿勢変化の前後における制御情報に基づいて切り替えるべき設定情報の判定及び判定結果に従った設定情報の変更を行う制御手段を備える。
【発明の効果】
【０００７】
本発明によれば、撮像装置の姿勢変化が検出された場合、姿勢別の設定情報、及び撮像装置の姿勢変化前と姿勢変化後の制御情報に基づいて切替後の設定情報を判定して設定変更を行う撮像装置とその設定変更制御方法を提供できる。
【図面の簡単な説明】
【０００８】
【図１】図２乃至５とともに本発明の一実施形態に係る撮像装置を説明するために、デジタル一眼レフカメラの構成例を示すブロック図である。
【図２】姿勢差別設定値の記憶処理例を説明するためのフローチャートである。
【図３】切替設定値の判定処理例を説明するためのフローチャートである。
【図４】自動焦点調節フレームの切替処理例を説明するためのフローチャートである。
【図５】カメラの姿勢に応じた自動焦点調節フレームの切替処理を説明するための図である。
【発明を実施するための形態】
【０００９】
以下、図面を参照して本発明の実施形態について説明する。図１は本発明の実施形態に係る電子スチルカメラの構成例を示すブロック図である。図１において、撮影光学系は撮影レンズ１、絞り機能を具備するシャッタ２を備え、撮像手段として、ＣＣＤ（電荷結合素子）等により光学像を電気信号に変換する撮像素子３が設けられている。
【００１０】
撮像素子３の出力信号を処理する回路部は、プロセス回路４、Ａ（アナログ）／Ｄ（デジタル）変換器５、画像圧縮回路６を備え、出力段に切換スイッチ７が設けられている。プロセス回路４はガンマ補正等の公知のカメラ信号処理を行う。Ａ／Ｄ変換器５はプロセス回路４のアナログ出力をデジタル信号に変換する。画像圧縮回路６は適応離散コサイン変換（ＡＤＣＴ）等により画像データの圧縮を行う。切換スイッチ７は、圧縮を施した画像データと画像圧縮回路６をバイパスした画像データ（圧縮を行っていないデータ）の伝送切換用に設けられている。
【００１１】
音声信号処理部は、マイクロホン８、ノイズ低減回路９、Ａ／Ｄ変換器１０、音声圧縮回路１１を備え、出力段に切換スイッチ１２が設けられている。外部音声入力用のマイクロホン８から出力される音声信号はノイズ低減回路９でノイズが低減された後、Ａ／Ｄ変換器１０にてデジタル信号に変換される。そして、音声圧縮回路１１にて適応差分ＰＣＭ（ＤＰＣＭ）等によりデータ圧縮が行われる。切換スイッチ１２は、圧縮を施した音声データと音声圧縮回路１１をバイパスした音声データとの伝送切換用に設けられている。
【００１２】
バッファメモリ１３は切換スイッチ７からの画像データ（映像信号）及び／又は切換スイッチ１２からの音声データ（音声信号）を一時記憶する記憶手段である。バッファメモリ１３はメモリ制御回路１４からの制御信号に従って前記信号を所望の速度で読み出し可能である。メモリ制御回路１４はＡ／Ｄ変換器５及び１０、画像圧縮回路６、音声圧縮回路１１、切換スイッチ７及び１２、バッファメモリ１３を制御する。画像データの圧縮時には、画像圧縮回路６による圧縮画像データが切換スイッチ７を経てメモリ制御回路１４の制御下でバッファメモリ１３に書き込まれる。また、画像データを圧縮しない場合、Ａ／Ｄ変換器５の出力する画像データが、メモリ制御回路１４の制御下でバッファメモリ１３に書き込まれる。同様に、音声データの圧縮時には、音声圧縮回路１１による圧縮音声データが、切換スイッチ７を経てメモリ制御回路１４の制御下でバッファメモリ１３に書き込まれる。また音声データを圧縮しない場合、Ａ／Ｄ変換器１０の出力する音声データが、メモリ制御回路１４の制御下でバッファメモリ１３に書き込まれる。
【００１３】
インタフェース（Ｉ／Ｆ）１５は、メモリカード１６、ハードディスク１７又は外部機器との間で情報の伝達を行う。カメラ本体に設けられたコネクタ１８は、メモリカード１６又はハードディスク１７とカメラ本体との電気的接続を行う。
メモリカード１６は記録領域として管理データ領域１９と情報データ領域２０を有し、これらに記憶される情報はメモリカード１６側のインタフェース２１及びコネクタ２２を介して外部から読み書きが行われる。また、ライトプロテクト（書き込み禁止）部２３の情報についても、インタフェース２１及びコネクタ２２を介して外部への読み出しが可能である。インタフェース２１は、ＣＰＵ、ＭＰＵ等の制御回路、ＲＯＭ、ＥＥＰＲＯＭ等の不揮発性メモリ、及びＲＡＭ等により構成され、所定のプログラムに基づいてメモリカード１６を制御する。
【００１４】
一方、ハードディスク１７は記憶領域として、管理データ領域２４と情報データ領域２５を有し、これらに記憶される情報はインタフェース２６及びコネクタ２７を介して外部から読み書きが行われる。インタフェース２６は、ＣＰＵ、ＭＰＵ等の制御回路、ＲＯＭ、ＥＥＰＲＯＭ等の不揮発性メモリ、及びＲＡＭ等により構成され、所定のプログラムに基づいてハードディスク１７を制御する。
【００１５】
シャッタ２を駆動するシャッタ駆動回路２８や、撮影レンズ１内のフォーカシングレンズを駆動するレンズ駆動回路２９は、後述のシステム制御部３９により制御される。測距回路３０は被写体までの距離を測定し、測光回路３１は被写体の明るさを測定する。これらの測定結果は後述のシステム制御部３９に送出される。フラッシュ３２についてはストロボの発光量が後述のシステム制御部３９により制御される。
【００１６】
温度検出回路３３は、記録媒体の温度、凍結や露結の有無を検出し、検出結果を後述のシステム制御部３９に送出する。電源制御回路３４は電源の状態検出及び制御を行う。電源部３５は、電池、ＤＣ−ＤＣコンバータ、通電するブロックの切換スイッチ等で構成され、電源制御回路３４によって制御される。電源制御回路３４は電池装着の有無、電池の種類、電池残量の検出を行い、その検出結果及び後述のシステム制御部３９からの指示に基づいて電源部３５を制御する。
【００１７】
表示装置３６はカメラの各種情報、撮影画像、メニュー項目等を表示する。制御用メモリ３７は後述するシステム制御部３９の撮影動作用定数、変数等の情報を記憶する。
スイッチ群３８としては、後述するシステム制御部３９に対して各種の動作指示の入力をするために、例えば、以下のスイッチを備える。
・電源スイッチ４０。
・シャッタスイッチ（レリーズボタン４１、測距測光スイッチ４２、記録スイッチ４３を含む。）：測距測光スイッチ４２は、レリーズボタン４１の第１ストロークで閉成され、測距回路３０及び測光回路３１により測距及び測光を指示する。記録スイッチ４３は、レリーズボタン４１の第２ストロークで閉成され、撮影画像のメモリカード１６又はハードディスク１７への記録を指示する。なお図には、これらを一つにまとめて示している。
・モードスイッチ４４：１枚又は１組の撮影を行うシングル（Ｓ）モード、連続して複数枚又は複数組の撮影を行う連続（Ｃ）モード、及びセルフタイマ撮影モードを選択するスイッチ。
・画像モードスイッチ４５：画像の記録枚数、フレーム記録又はフィールド記録の区別、アスペクト比、画素構成、圧縮方式、圧縮率等の画像記録方式を選択するスイッチ。なお図には一つのスイッチとして示すが、複数のスイッチで構成される。
・消去モードスイッチ４６：消去モードを選択するためのスイッチ。
・消去スイッチ４７：消去の実行指示用のスイッチ。
・音声記録スイッチ４８：音声記録のオン／オフを指定するためのスイッチ。
・音声記録実行スイッチ４９：音声記録の実行指示用のスイッチ。
この他、各種の設定ボタンやＡＦ開始ボタン等に対応するスイッチが設けられている。
【００１８】
システム制御部３９は、前記のスイッチ群３８による指示、カメラ本体に装着されている記録媒体の種類及び記録媒体の状態（残存記憶容量等）検出、その他、上述したカメラ本体の検出装置による検出結果に応じてカメラ全体を制御する。例えば、システム制御部３９は、測距回路３０の測定結果に従いレンズ駆動回路２９に制御信号を送出することで、撮影レンズ１のフォーカシングレンズを駆動して撮影レンズ１を合焦状態に制御する。更にシステム制御部３９は、測光回路３１の測光結果に基づいて最適な露光量が得られるように、シャッタ駆動回路２８に制御信号を送出することでシャッタ２の開放時間を決定する等の制御を行う。コネクタ５０は外部機器と接続を行うために設けられており、インタフェース（Ｉ／Ｆ）１５に繋がっている。姿勢検出回路５１はカメラの姿勢検出を行い、姿勢検出結果をシステム制御部３９に送出する。
【００１９】
次に、上記構成をもつカメラの設定変更制御例について図１を参照しながら図２乃至４のフローチャートに沿って詳細に説明する。最初に、システム制御部３９及び該回路で実行されるプログラムによって実現される、姿勢差別設定値の記憶手段について説明する。尚、姿勢差別設定値とは、カメラ姿勢に対応して設定される、姿勢別の設定情報を意味する。
【００２０】
図２は姿勢差別設定値の記憶処理例を示すフローチャートである。先ずシステム制御部３９は、設定値に対応した設定モードを開始する為の設定ボタンの状態を判別する（Ｓ０＿０１）。その結果、当該ボタンの操作によりスイッチがオン状態であると判定された場合、Ｓ０＿０２に進み、その状態での姿勢を姿勢検出回路５１が検出する。また、設定ボタンが操作されずスイッチがオフ状態であると判定された場合、ステップＳ０＿０１での処理が繰り返される。
【００２１】
次にシステム制御部３９は、姿勢検出回路５１によって検出された姿勢の如何を判断する（Ｓ０＿０３、Ｓ０＿０４）。本例では、カメラの姿勢検出に関して、正位置、グリップ上、グリップ下という３姿勢を想定する（図５の（ａ）及び（ｂ）を参照）。つまり、正位置はユーザがカメラ本体を水平方向に構えた状態に相当し、グリップ上、グリップ下はユーザがカメラ本体を鉛直方向に構えた状態であって、それぞれグリップがカメラ本体の上方に来るか、カメラ本体の下方に来るかの違いである。Ｓ０＿０３にてシステム制御部３９は、カメラの姿勢が正位置であるか否かを判断する。その結果、正位置の場合、Ｓ０＿０５に進み、その状態での姿勢がアクティブな姿勢として設定される。なおアクティブな姿勢とは、これからユーザが設定しようとする設定値はどの姿勢に対応する設定値であるのかを特定する値や情報を意味する。Ｓ０＿０５では正位置を示す情報がシステム制御部３９によって設定される。
【００２２】
一方、Ｓ０＿０３にてカメラの姿勢が正位置でないと判断された場合、Ｓ０＿０４に進み、システム制御部３９は、カメラの姿勢がグリップ上であるか否かを判断する。その結果、グリップ上の場合、Ｓ０＿０６に進み、ここでアクティブな姿勢としてグリップ上が設定される。またカメラの姿勢がグリップ上でないと判断された場合、Ｓ０＿０７に進み、アクティブな姿勢としてグリップ下が設定される。前記Ｓ０＿０５乃至０７での処理によって、設定モードの開始となる。
【００２３】
次に、システム制御部３９は該当する設定値の変更操作が行われているかを判定する（Ｓ０＿０８）。その結果、設定値の変更操作が行われていると判定された場合、その変更操作に対応した変更方法に従ってシステム制御部３９が設定値を変更（Ｓ０＿０９）した後、Ｓ０＿１０に進む。また設定値の変更操作が行われていないと判定された場合、Ｓ０＿１５に進む。
Ｓ０＿０９にて変更された設定値を、アクティブな姿勢に対応させて制御用メモリ３７に保存する為に、システム制御部３９は前記ステップで設定済とされる、アクティブな姿勢が何であったかを判定する（Ｓ０＿１０、Ｓ０＿１１）。つまり、Ｓ０＿１０にて、アクティブな姿勢が正位置であると判定された場合、Ｓ０＿１２に進むが、そうでない場合にはＳ０＿１１に進み、ここでアクティブな姿勢がグリップ上であるか否かが判定される。そして、グリップ上の場合、Ｓ０＿１３に進むが、そうでない場合、Ｓ０＿１４に進む。
【００２４】
Ｓ０＿１２乃至１４にてシステム制御部３９は、それぞれのアクティブな姿勢に対応した設定値を、姿勢差別設定値としてメモリに保存する。すなわち、Ｓ０＿１２では正位置用の設定値、Ｓ０＿１３ではグリップ上用の設定値、Ｓ０＿１４ではグリップ下用の設定値を保存する処理が行われた後、Ｓ０＿１５に進む。ここでは設定モードの終了操作を行うための設定ボタンのスイッチがオン状態であるか否かをシステム制御部３９が判定する。その結果、該スイッチがオン状態であると判定された場合、設定モードの終了となる。設定ボタンのスイッチがオフ状態であると判定され、設定モードの継続が判断された場合、再度Ｓ０＿０８に戻り、設定値の変更操作が行われているか否かの判定処理が行われる。
【００２５】
次に、切替先の設定値判定について図３のフローチャートを用いて説明する。なお、以下のステップＳ１＿０１乃至０９に示す処理は、システム制御部３９及び該回路で実行されるプログラムを用いて構成される切替先設定値の判定手段によって実現される。
本処理はカメラの姿勢変化の発生がトリガーとなるため、先ず、カメラの姿勢変化が発生したか否かをシステム制御部３９が判定する（Ｓ１＿０１）。その結果、姿勢変化が発生したと判定された場合、Ｓ１＿０２に進むが、姿勢変化がないと判定された場合、Ｓ１＿０１の処理が繰り返される。
【００２６】
Ｓ１＿０２にて、現在のＡＦ（自動焦点調節）モードに関して、合焦により自動焦点調節を終了するワンショット（ＯＮＥ  ＳＨＯＴ）モードであるか否かが判定される。これは、ユーザが被写体に対してどのようなＡＦ制御を行っているかを知る必要があることによる。判定の結果、現時点のＡＦモードがＯＮＥ  ＳＨＯＴであると判定された場合、Ｓ１＿０３に進む。また、現時点のＡＦモードがＯＮＥ  ＳＨＯＴでないと判定された場合、Ｓ１＿０５に進む。
【００２７】
Ｓ１＿０３では、現時点でのＡＦ制御の状態がどのようになっているかを知る為に、現在のＡＦ状態が合焦中かどうかをシステム制御部３９が判定する。本実施形態での「ＡＦ状態」とは、ＡＦ制御の動作状態を意味し、停止、測距中、合焦中、非合焦の４状態を含む。つまり本例では姿勢変化の前後における制御情報として、焦点検出状態に関する情報が使用される。現在のＡＦ状態が合焦中と判定された場合、すなわちワンショットモードで合焦した後もＡＦ開始ボタンがオン状態を保ったままの状況であれば、そのまま現在の選択ＡＦフレーム及びＡＦ状態の保持を優先し、選択ＡＦフレームを変更せずに終了となる。ここでの選択ＡＦフレームは、選択済みの自動焦点調節フレームを意味する。
【００２８】
前記Ｓ１＿０３での判定結果が合焦中でない場合、Ｓ１＿０４に進み、前記した記憶処理に基づく姿勢差別設定値を基準としてＡＦフレームの切替処理が行われた後、選択ＡＦフレームの切替が終了する。なお切替処理の具体例については後で詳述する。
またＳ１＿０２での判定結果がワンショットモードでない場合、姿勢変化の前後で同一の被写体か否かが判定される（Ｓ１＿０５）。本実施形態ではＯＮＥ  ＳＨＯＴ以外のモードとして、「ＡＩ  ＳＥＲＶＯ」のＡＦモード（被写体追従モード）になっており、かつＡＦ開始ボタンが姿勢変化の前後でオン状態を保持している場合を想定している。よって、カメラの姿勢変化の前後で同一の被写体と認識されることになるが、これに限らず、撮像素子３によって取得される画像情報を用いて、その色や形状の変化に基づき被写体の同一性を認識してもよい。このように姿勢変化の前後における被写体の同一性の有無に関する識別情報が使用される。
【００２９】
Ｓ１＿０５にて、姿勢変化の前後における被写体が同一でないと判定された場合、Ｓ１＿０４に進む。この場合、姿勢変化後に被写体が変わっているので、設定値を姿勢変化後の設定値へと速やかに変更する必要がある。よって前記した記憶処理に基づく姿勢差別設定値を基準としたＡＦフレームの切替処理に従い、選択ＡＦフレームが変更された後、処理が終了する。
前記Ｓ１＿０５にて、姿勢変化の前後で被写体が同一であると判定された場合、Ｓ１＿０６に進み、システム制御部３９は現在のＡＦ状態が非合焦中か否かを判定する。その結果、ＡＦ状態が非合焦中であると判定された場合、Ｓ１＿０７に進むが、ＡＦ状態が非合焦中でないと判定された場合、Ｓ１＿０９に進む。
【００３０】
Ｓ１＿０７にてシステム制御部３９は、現在の姿勢に対応した前記姿勢差別設定値に基づくＡＦフレームが、現在の選択ＡＦフレームの近傍であるか否かを判定する。その結果、前記姿勢差別設定値に基づくＡＦフレームが、現在の選択ＡＦフレームの近傍であると判定された場合、Ｓ１＿０４に進み、前記姿勢差別設定値を基準としたＡＦフレームの切替処理が行われる。一方、前記姿勢差別設定値に基づくＡＦフレームが、現在の選択ＡＦフレームの近傍でないと判定された場合、Ｓ１＿０８に進む。ここで、現在の姿勢に対応した前記姿勢差別設定値に基づくＡＦフレームが現在のＡＦフレームを包含するエリア設定になっているか否かをシステム制御部３９が判定する。その結果、現在のＡＦフレームを包含するエリア設定であるとの判定が下された場合、Ｓ１＿０４に進み、前記姿勢差別設定値を基準としたＡＦフレームの切替処理が行われる。また、Ｓ１＿０８で否定的な判定結果が下された場合、Ｓ１＿０９に進む。
Ｓ１＿０９では、現在の選択ＡＦフレーム位置に基づき、被写体位置を基準としたＡＦフレームの切替処理が行われ、選択ＡＦフレームが変更された後で処理が終了する。
【００３１】
以上のように、ワンショットモードの場合、合焦中はＡＦフレームの自動切替が行われず、非合焦の場合に姿勢差別の設定値に従ってＡＦフレームの自動切替が行われる。また、ＡＦモードがＡＩ  ＳＥＲＶＯであって、姿勢変化の前後で被写体が同一とされ、非合焦でない場合には、前記Ｓ１＿０７及び０８での判定結果に従ってＡＦフレームの自動切替が行われる。
【００３２】
次にＡＦフレームの切替処理について図４のフローチャートを用いて説明する。なお、以下のステップＳ２＿０１乃至１２に示す処理は、システム制御部３９及び該回路で実行されるプログラムを用いて構成されるＡＦフレーム切替手段によって実現される。
最初に、切替制御の基準は姿勢差別設定値であるか否かが判定される（Ｓ２＿０１）。その結果、姿勢差別設定値が基準であると判定された場合、Ｓ２＿０２に進むが、そうでない場合にはＳ２＿０５に進む。
【００３３】
Ｓ２＿０２では現在の姿勢検出が行われる。すなわち、姿勢検出回路５１の検出結果がシステム制御部３９に送られる。そして、検出された姿勢が正位置、グリップ上、グリップ下のいずれであるかをシステム制御部３９が判定する（Ｓ２＿０３、Ｓ２＿０４）。つまりＳ２＿０３にて、検出された姿勢が正位置であるか否かが判定され、判定結果が正位置の場合、Ｓ２＿０６に進むが、判定結果が正位置以外の場合、Ｓ２＿０４に進む。ここで、検出された姿勢がグリップ上であるか否かが判定され、判定結果がグリップ上の場合、Ｓ２＿０７に進み、判定結果がグリップ下の場合、Ｓ２＿０８に進む。
【００３４】
Ｓ２＿０６乃至０８では、検出された姿勢に対応して、前記姿勢差別設定値の記憶手段により記憶されていたＡＦフレームの情報を取得して設定する処理が行われる。すなわち、Ｓ２＿０６では正位置用、Ｓ２＿０７ではグリップ上用、Ｓ２＿０８ではグリップ下用のＡＦフレーム情報の取得及び設定処理がそれぞれに行われた後、Ｓ２＿０９に進む。また前記Ｓ２＿０１にて姿勢差別設定値が基準ではないとの判定が下された場合、Ｓ２＿０５に進み、元の選択ＡＦフレームと相対的に同じ位置に来るように、ＡＦフレームを設定する処理が行われる。ここで、「相対的に同じ位置」とは、カメラの姿勢変化前と姿勢変化後におけるＡＦフレームの相対的座標の位置が同じであること又はその近傍位置であることを意味する。
【００３５】
これ以降、切替先と判定されているＡＦフレームで必要十分なＡＦ制御が出来るか否かの判断と、ＡＦ制御が可能であれば切替を許可し、ＡＦ制御が出来ない場合には切替を禁止する処理が行われる。
【００３６】
Ｓ２＿０９にて、前記処理により設定されたＡＦフレームは、カメラ本体に装着しているレンズの状況等を踏まえて、ＡＦ制御可能な光量が十分に得られる位置か否かをシステム制御部３９が判断する。その結果、十分な光量が得られないと判断された場合、そのＡＦフレームへの変更は行われずに処理が終了する。また、ＡＦ制御可能な光量が得られると判断された場合、現状にてストロボを使用する状況かどうかをシステム制御部３９が判定する（Ｓ２＿１０）。本実施形態にてストロボを使用する状況とは、内蔵ストロボがカメラ本体から上方に突出している状態、又は外部ストロボが装着された状態であって、かつ充電が完了しており、ユーザが意図的にストロボを使用しない設定とされていない状態を意味する。Ｓ２＿１０にて、ストロボの使用が判定された場合、Ｓ２＿１１に進み、またストロボの不使用が判定された場合、Ｓ２＿１２に進む。
【００３７】
Ｓ２＿１１では前記処理にて設定されているＡＦフレームが、ＡＦ制御に必要な赤外補助光の投光パターンとマッチする位置にあるか否かをシステム制御部３９が判定する。その結果、ＡＦフレームが投光パターンとマッチする位置にあると判定された場合、Ｓ２＿１２に進むが、そうでない場合には処理がそのまま処理が終了する。
Ｓ２＿１２にて選択ＡＦフレームを、前記で設定されているＡＦフレームに変更する処理が行われた後で、処理が終了する。
【００３８】
図５（ｃ）及び（ｄ）はカメラの姿勢変化に応じたＡＦフレームの切替処理例を示す。（ｃ）及び（ｄ）における左側の図は正位置の姿勢で撮影される画像例を示し、右側の図は、グリップ上の状態で撮影される画像例を示している。（ｃ）図は姿勢変化の前後で被写体が変わった撮影状況を示し、（ｄ）図は姿勢変化の前後で被写体が変化しない撮影状況を示す。なお図中に点線で示す複数の矩形枠はＡＦフレームを表し、実線で示す矩形枠が選択ＡＦフレームを表している。カメラの姿勢が変化した後で別の被写体となった場合、該被写体に対して選択ＡＦフレームの位置が切り替えられる（符号５０１参照）。またカメラの姿勢が変化した後で被写体が同じ場合でも、同一の被写体に対して選択ＡＦフレームが切り替えられる（符号５０２参照）。こうしてカメラの姿勢変化に応じてユーザの意図するＡＦフレームの自動変更が即座に行われるので、姿勢変化の際にユーザが手動でＡＦフレームの位置を変更する必要はなくなる。
【００３９】
本実施形態ではカメラの姿勢変化に応じたＡＦフレームの設定変更を説明したが、姿勢差別設定値を測光ポイントの位置情報としてもよい。この場合、前記実施形態で使用していたＡＦ状態については、そのまま使用し、それ以外については、測光ポイントに合わせて露出制御が行われる。従って、制御フローその他については、前記実施形態の場合と同様の処理を用いてもそのまま成立する。
【００４０】
以上に説明した通り、姿勢変化検出時に、姿勢差別設定値、及び姿勢変化の前後における制御情報に基づいて、切替先の設定値を判定して決定することで、ユーザが望む設定値への変更制御方法を提供できる。
【符号の説明】
【００４１】
３７  メモリ
３９  システム制御部
５１  姿勢検出回路
【図１】
2010252217.tif 000003
【図２】
2010252217.tif 000004
【図３】
2010252217.tif 000005
【図４】
2010252217.tif 000006
【図５】
2010252217.tif 000007